(57)【要約】【課題】カバーが開放位置にあるときに、さらに開放方向に荷重を掛けた場合に、カバーが容易に外れることができ、且つ、カバーの回動には、がたつきが生じることがないカバー開閉機構及び当該カバー開閉機構を備えた印字装置を提供すること。【解決手段】前面カバー３を最大限に開放すると、前面カバー３のヒンジ部３１の側端部が当接部６５に当接し、軸受穴６３の第二の切欠部６４に、軸部３３の第一の切欠部が対向する。この状態で、前面カバー３を開放方向に押圧すると、当接部６５の左端の端部が支点となり、ヒンジ部３１の前面カバー３側の基部が力点となり、軸部３３が作用点となり、軸部３３の中心から第一の切欠部方向に力が掛かり、軸受部６２の軸受穴６３の第二の切欠部６４に、軸部３３の第一の切欠部が対向していることから、軸部３３が軸受穴６３から離脱してヒンジ部３１の破損が防止できる。【選択図】図９
2010238851.tif 000002
【特許請求の範囲】
【請求項１】
軸部によって装置本体に回動可能に軸支される一対のヒンジ部を備え、前記装置本体の上面を覆う閉止位置と、上面を開放する開放位置との間で前記軸部を中心に回動するカバーの開閉機構であって、
前記一対のヒンジ部には、装置本体に設けられた軸受穴に嵌合する円柱状の軸部が各々設けられ、
前記軸部の頂上部において、前記カバーを開放位置から更に外側に押圧した場合に、前記軸部が前記軸受穴の壁面に押圧される位置に第一の切欠部を形成したことを特徴とするカバー開閉機構。
【請求項２】
前記軸受部には、前記カバーを開放位置から更に外側に押圧した場合に、当該軸受部が前記軸部から押圧される位置に第二の切欠部を形成したことを特徴とする請求項１に記載のカバー開閉機構。
【請求項３】
前記装置本体には、前記カバーを開放位置に維持するために、前記ヒンジ部の側端部が当接する当接部が設けられ、
当該当接部の前記装置本体の外側面の端部と前記軸受穴の中心とを結んだ線を半径とする円弧が、前記軸受穴の側面と交わる位置を含むように前記第二の切欠部を形成したことを特徴とする請求項２に記載のカバー開閉機構。
【請求項４】
請求項１乃至３のいずれかに記載のカバー開閉機構を備えたことを特徴とする印字装置。
【発明の詳細な説明】
【技術分野】
【０００１】
本発明は、装置本体に開閉可能に取り付けられるカバーの開閉機構及びそれを備えた印字装置に関する。
【背景技術】
【０００２】
従来、印刷用紙の補充や詰まった用紙の除去、部品の修理や交換等を行うために、テープ印字装置、プリンタ、ファクシミリ等の印字装置の本体を覆うカバーを、軸部を中心に閉鎖位置と開放位置の間で回動可能に保持するカバーの開閉機構が知られている（例えば、特許文献１参照）。このカバー開閉機構によると、カバーを回動させるだけで簡単にカバーを開放・閉鎖させることができ、印字装置のメンテナンスを容易に行うことができる。
【先行技術文献】
【特許文献】
【０００３】
【特許文献１】特開２００８−１４２９７５号公報
【発明の概要】
【発明が解決しようとする課題】
【０００４】
しかしながら、特許文献１に記載のカバー開閉機構では、カバーが開放位置まで開放された状態で、使用者が、さらに、開放方向にカバーを回動しようとして荷重を掛けた場合に、カバー開閉機構のヒンジ部を破損してしまうという問題点があった。また、カバーが外れ易いように、ヒンジ部の軸穴を大きくすると、カバーのがたつきが生じるという問題点があった。
【０００５】
本発明は上記課題を解決するためになされたものであり、カバーが開放位置にあるときに、さらに開放方向に荷重を掛けた場合に、カバーが容易に外れることができ、且つ、カバーの回動には、がたつきが生じることがないカバー開閉機構及び当該カバー開閉機構を備えた印字装置を提供することを目的とする。
【課題を解決するための手段】
【０００６】
上記目的を達成するために、本発明の請求項１に記載のカバー開閉機構は、軸部によって装置本体に回動可能に軸支される一対のヒンジ部を備え、前記装置本体の上面を覆う閉止位置と、上面を開放する開放位置との間で前記軸部を中心に回動するカバーの開閉機構であって、前記一対のヒンジ部には、装置本体に設けられた一対の軸受穴に嵌合する円柱状の軸部が各々設けられ、前記軸部の頂上部において、前記カバーを開放位置から更に外側に押圧した場合に、前記軸部が前記軸受穴の壁面に押圧される位置に第一の切欠部を形成したことを特徴とする。
【０００７】
また、本発明の請求項２に記載のカバー開閉機構は、請求項１に記載の発明の構成に加え、前記軸受部には、前記カバーを開放位置から更に外側に押圧した場合に、当該軸受部が前記軸部から押圧される位置に第二の切欠部を形成したことを特徴とする。
【０００８】
また、本発明の請求項３に記載のカバー開閉機構は、請求項２に記載の発明の構成に加え、前記装置本体には、前記カバーを開放位置に維持するために、前記ヒンジ部の側端部が当接する当接部が設けられ、当該当接部の前記装置本体の外側面の端部と前記軸受穴の中心とを結んだ線を半径とする円弧が、前記軸受穴の側面と交わる位置を含むように前記第二の切欠部を形成したことを特徴とする。
【０００９】
また、本発明の請求項４に記載の印字装置は、請求項１乃至３のいずれかに記載のカバー開閉機構を備えている。
【発明の効果】
【００１０】
本発明の請求項１に記載のカバー開閉機構では、前記軸部の頂上部において、前記カバーを開放位置から更に外側に押圧した場合に、軸部が前記軸受穴の壁面に押圧される位置に第一の切欠部を形成しているので、開放位置から更に開放方向に、荷重が掛かった場合には、カバーのヒンジ部の軸部の第一の切欠部から軸受穴から容易に外れるので、ヒンジ部を破損することを防止できる。また、第一の切欠部は、軸部の一部にしか形成されていないので、カバーを回動してもがたつくことがない。
【００１１】
また、本発明の請求項２に記載のカバー開閉機構は、請求項１に記載の発明の効果に加え、前記軸受部には、前記カバーを開放位置から更に外側に押圧した場合に、当該軸受部が前記軸部から押圧される位置に第二の切欠部が形成されている。従って、開放位置から更に開放方向に、荷重が掛かった場合には、カバーのヒンジ部の軸部の第一の切欠部が軸受穴の第二の切欠部から容易に外れるので、ヒンジ部を破損することを防止できる。また、第二の切欠部は、軸受穴の一部にしか形成されていないので、カバーを回動してもがたつくことがない。
【００１２】
また、本発明の請求項３に記載のカバー開閉機構は、請求項２に記載の発明の効果に加え、前記装置本体には、前記カバーを開放位置に維持するために、前記ヒンジ部の側端部が当接する当接部が設けられ、当該当接部の前記装置本体の外側面の端部と前記軸受穴の中心とを結んだ線を半径とする円弧が、前記軸受穴の側面と交わる位置を含むように前記第二の切欠部を形成しているので、当接部に開放位置から更に開放方向に、荷重が掛かった場合には、カバーのヒンジ部の軸部の第一の切欠部が軸受穴の第二の切欠部から容易に外れるので、ヒンジ部を破損することを防止できる。また、第二の切欠部は、軸受穴の一部にしか形成されていないので、カバーを回動してもがたつくことがない。
【００１３】
また、本発明の請求項４に記載の印字装置は、請求項１乃至３のいずれかに記載の発明と同様の作用効果を奏することができる。
【図面の簡単な説明】
【００１４】
【図１】印字装置１の斜視図である。
【図２】印字装置１の底面図である。
【図３】印字装置１の前面カバー３を開放位置に回動した状態の底面図である。
【図４】前面カバー３の斜視図である。
【図５】前面カバー３を取り外した状態の印字装置１の底面図である。
【図６】軸受穴６３近傍の拡大図である。
【図７】ヒンジ部３１を拡大した斜視図である。
【図８】ヒンジ部３１を拡大図した平面図である。
【図９】前面カバー３を最大限開放した態のヒンジ部３１近傍の拡大図である。
【発明を実施するための形態】
【００１５】
以下、本発明の一実施の形態であるカバー開閉機構を備えた印字装置１について、図面を参照して説明する。この印字装置１は、接続されたコンピュータ装置から送信される印字データを、テープ状の印刷媒体へ印字するためのラベルプリンタである。この印字装置１には、図示外のテープカセットが着脱可能に内蔵されている。
【００１６】
まず、図１乃至図３を参照して、印字装置１の概略構成について説明する。尚、図１における印字装置１では、前面カバー３の設けられている側が正面とする。図１に示すように、印字装置１は、略直方体形状に形成され、フレーム部２と、当該フレーム部２に開放可能に軸支され、印字装置１の正面側を覆う前面カバー３と、フレーム部２に固定され印字装置１の背面を覆う背面カバー４とから構成されている。また、フレーム部２の右上端部には、印刷されたテープ状の印刷媒体を切断するための押しボタン５が設けられている。また、フレーム部２の左側面には、各種のジャックが設けられている。また、図２及び図３に示すように、印字装置１の底面は、長方形の平板状に形成された底部６から構成され、当該底部６の四隅には、各々ゴム製の足６１が設けられている。
【００１７】
次に、図１、図３及び図４を参照して、前面カバー３の構造を説明する。前面カバー３は、正面視、略長方形に形成され、中央部が盛り上がった形状である。この前面カバー３は、印字装置１に内蔵されたテープカセットを着脱するときに、開放されるものである。図４に示すように、前面カバー３の裏面の長手方向の一端部には、板状に形成された一対のヒンジ部３１，３２が所定間隔を開けて、平行に設けられている。前面カバー３に於いて、ヒンジ部３１，３２が設けられた側と反対側の端部には、前面カバー３を開放するときに、指を掛ける複数の凸部が形成された壁部である側壁部３８形成されている。この側壁部３８の下端部には、前面カバー３を閉じた場合に、フレーム部２に設けられた図示外の被係止部に係止されるフック３９が設けられている。また、前面カバー３には、印字装置１に収納されたテープカセットに貼り付けられたラベルを目視するための略四角形の窓部３０が形成されている。尚、前記ヒンジ部３１の内側には、軸部３３が凸設されており、ヒンジ部３２の内側にも同様の軸部が形成されている。尚、軸部３３には、後述する第一の切欠部３６（図７参照）が形成されている。軸部３３の構造の詳細は、後述する。
【００１８】
次に、図５及び図６を参照して、フレーム部２の底部６の端部に形成された軸受部６２及び軸受穴６３について説明する。図５に示すように、フレーム部２の底部６の左上の角部には、底部６よりも一段下がった平面から構成された軸受部６２が形成されている。この軸受部６２は、ヒンジ部３１に対応するものである。この軸受部６２には、上部が半円状に抉られた長穴である軸受穴６３が穿設されている。そして、この軸受穴６３の上部の半円状部分の斜め左上部分に第二の切欠部６４が扇形状に穿設されている。また、軸受穴６３の下端部の部分の近傍には、前面カバー３を最大限に開放位置にした時に、ヒンジ部３１の側端部が当接する当接部６５が形成されている。尚、印字装置１のフレーム部２では、ヒンジ部３２に対応して、当接部６５と同様の構造の軸受部、軸受穴及び第二の切欠部が設けられている。尚、図６に示す当接部６５の左端（外側）の端部を中心とし、当該当接部６５の左端（外側）の端部と軸受穴６３の半円部の中心とを結んだ直線７０を半径とした円弧７１が、前記軸受穴６３の側面と交わる位置を含むように第二の切欠部６４が形成されている。ここに、第二の切欠部６４が形成されているのは、前面カバー３を開放位置に最大限開いたときに、更に前面カバー３の開放方向に力を掛けると、軸部３３が乗り越える位置がこの部分だからである。
【００１９】
次に、図７及び図８を参照して、ヒンジ部３１の構造について説明する。ヒンジ部３１は、平面視、先端に向かって幅が狭くなる略台形状の板状に形成され、その先端側の内側（図７に於ける上面）には、前記軸受穴６３に嵌合する円柱状の軸部３３がヒンジ部３１と直交する方向に凸設されている。軸部３３の下部には、軸部より半径の大きい円柱状の基部３４が形成されている。
【００２０】
軸部３３の頂上部３５には、頂上部３５の一部を切欠いた第一の切欠部３６が形成されている。この切欠部３６は、前面カバー３を開放位置に最大限開いたときに、前記軸受穴６３の第二の切欠部６４に対向する位置に、前記第二の切欠部６４の扇形の中心角と略同じ位の角度の大きさで切欠いて形成されている。尚、ヒンジ部３２にも軸部３３と同様の構造を持った軸部が形成されている。
【００２１】
次に、図２、図３、図６及び図９を参照して、前面カバー３の開放動作について説明する。図２に示すように、前面カバー３を閉じた状態から、テープカセットを交換する場合には、図３に示すように、前面カバー３の側壁部３８に指を掛けて前面カバー３を開放する。前面カバー３を最大限に開放すると、図９に示すように、前面カバー３のヒンジ部３１の側端部が当接部６５に当接して止まる。この時に、軸受部６２の軸受穴６３の第二の切欠部６４に、軸部３３の第一の切欠部３６が対向する。この状態で、さらに、前面カバー３を開放方向に押圧する（荷重を掛ける）と、図９に於ける当接部６５の左端の端部が支点となり、ヒンジ部３１の前面カバー３側の基部が力点となり、軸部３３が作用点となる。従って、図６に示す円弧７１を軌跡として、図９に示すヒンジ部３１が回動するように力を受ける。この場合には、軸部３３の中心から第一の切欠部３６方向に力が掛かる。ここで、軸受部６２の軸受穴６３の第二の切欠部６４に、軸部３３の第一の切欠部３６が対向していることから、軸部３３が軸受穴６３から離脱し、ヒンジ部３１が破損することを防止できる。尚、ヒンジ部３２及びその軸受部においても同様の構造となっているので、ヒンジ部３２が破損することを防止できる。また印字装置１では、軸受穴６３の半円部分の一部しか第二の切欠部６４を形成していないので、前面カバー３を回動しても、がたつきが生じることがない
【００２２】
また、本発明は、以上詳述した実施の形態に限定されるものではなく、本発明の要旨を逸脱しない範囲内において種々の変更が可能であることは勿論である。本発明は、上記実施の形態の印刷装置だけでなく、ヒンジ部により回動可能に軸支されて開放されるカバーを備えた各種の装置に適用できる。また、カバーを開放して、交換されるものは、テープカセットに限られず、印字用紙、電池等、印字装置の内部に内蔵されるものであれば良い。
【符号の説明】
【００２３】
１  印字装置
２  フレーム部
３  前面カバー
４  背面カバー
６  底部
３１，３２  ヒンジ部
３３  軸部
３４  基部
３５  頂上部
３６  第一の切欠部
３８  側壁部
６１  足
６２  軸受部
６３  軸受穴
６４  第二の切欠部
６５  当接部
【図１】
2010238851.tif 000003
【図２】
2010238851.tif 000004
【図３】
2010238851.tif 000005
【図４】
2010238851.tif 000006
【図５】
2010238851.tif 000007
【図６】
2010238851.tif 000008
【図７】
2010238851.tif 000009
【図８】
2010238851.tif 000010
【図９】
2010238851.tif 000011